(57)【要約】【課題】自身が収録されたコンテンツ情報に対して段階的なアクセス制限を課すことが可能な端末装置、サーバ及びプログラムを提供する。【解決手段】コンテンツ情報取得部により取得されたコンテンツ情報に含まれる人物を同定し、同定した人物を示す第１の識別情報を生成する同定部と、コンテンツ情報および第１の識別情報を対応付けて外部装置に送信する通信部と、外部装置に蓄積されているコンテンツ情報に対するアクセス要求を生成する生成部と、を備え、アクセス要求は、外部装置に蓄積されているコンテンツ情報にアクセスするユーザを特定する第２の識別情報を含み、通信部は、アクセス要求を外部装置に送信し、第２の識別情報と外部装置に蓄積されているコンテンツ情報に対応付けられた第１の識別情報との比較に基づいて少なくとも一部がアクセス制限されたコンテンツ情報を、外部装置から受信する、端末装置。【選択図】図１
2014045259.tif 000002
【特許請求の範囲】
【請求項１】
コンテンツ情報取得部により取得されたコンテンツ情報に含まれる人物を同定し、同定した人物を示す第１の識別情報を生成する同定部と、
前記コンテンツ情報および前記第１の識別情報を対応付けて外部装置に送信する通信部と、
前記外部装置に蓄積されているコンテンツ情報に対するアクセス要求を生成する生成部と、
を備え、
前記アクセス要求は、前記外部装置に蓄積されている前記コンテンツ情報にアクセスするユーザを特定する第２の識別情報を含み、
前記通信部は、前記アクセス要求を前記外部装置に送信し、前記外部装置により前記アクセス要求に含まれる前記第２の識別情報と前記外部装置に蓄積されている前記コンテンツ情報に対応付けられた第１の識別情報との比較に基づいて少なくとも一部がアクセス制限されたコンテンツ情報を、前記外部装置から受信する、端末装置。
【請求項２】
前記アクセス要求は、アクセス制限の度合を示すアクセスレベル情報を含み、
前記通信部は、前記アクセスレベル情報に応じて少なくとも一部がアクセス制限されたコンテンツ情報を前記外部装置から受信する、請求項１に記載の端末装置。
【請求項３】
前記アクセス要求は、少なくとも第１のアクセスレベル情報または第２のアクセスレベル情報を含み、
前記通信部は、前記アクセス要求に前記第１のアクセスレベル情報が含まれている場合には、前記コンテンツ情報に対応付けられた第１の識別情報に、少なくとも前記ユーザを特定する第２の識別情報が含まれるコンテンツ情報のみを受信し、前記アクセス要求に第２のアクセスレベル情報が含まれている場合には、前記コンテンツ情報に対応付けられた第１の識別情報に、前記第２の識別情報または前記ユーザに紐付けられている人物を特定する第３の識別情報が含まれるコンテンツ情報のみを受信する、請求項２に記載の端末装置。
【請求項４】
前記少なくとも一部がアクセス制限されたコンテンツ情報は、前記ユーザ以外の第三者を含む部分の識別力が劣化するよう加工されたコンテンツ情報である、請求項１に記載の端末装置。
【請求項５】
前記コンテンツ情報取得部は、コンテンツ情報として撮像画像を取得する撮像部であって、
前記同定部は、前記撮像部により撮影された撮像画像に対して画像認識処理を行うことにより、前記コンテンツ情報に含まれる人物を同定して前記第１の識別情報を生成する、請求項１に記載の端末装置。
【請求項６】
前記端末装置は、識別信号発信装置から発信される識別信号を受け付ける受付部をさらに備え、
前記識別信号は、前記識別信号発信装置を所持する人物を示す信号であって、
前記同定部は、前記受付部が受け付けた前記識別信号に基づいて、前記同定した人物を示す第１の識別情報を生成する、請求項１に記載の端末装置。
【請求項７】
前記コンテンツ情報取得部は、常時、または前記受付部が前記識別信号発信装置から前記識別信号を受け付けたタイミングで前記コンテンツ情報を取得する、請求項６に記載の端末装置。
【請求項８】
前記コンテンツ情報取得部は、前記識別信号発信装置の位置に応じて、コンテンツ情報の取得パラメータを最適化する、請求項６に記載の端末装置。
【請求項９】
前記生成部は、前記受付部が受け付けた前記識別信号に基づいて前記ユーザを特定する第２の識別情報を生成する、請求項６に記載の端末装置。
【請求項１０】
前記識別信号発信装置は、光学式情報コードまたは電波式情報コードである、請求項６に記載の端末装置。
【請求項１１】
前記同定部は、前記コンテンツ情報取得部により取得されるコンテンツ情報に含まれる人物および当該コンテンツ情報取得部を備える前記端末装置を使用する人物を同定し、同定した人物を示す第１の識別情報を生成する、請求項１に記載の端末装置。
【請求項１２】
前記端末装置は、ユーザに装着されて使用され得るウェアラブル装置、ユーザに把持されて使用され得る把持型携帯装置、移動体に装着される装着型装置、移動体に内蔵される内蔵型装置、または定点設置される設置装置である、請求項１に記載の端末装置。
【請求項１３】
前記コンテンツ情報は、映像、画像、音声またはこれらの組み合わせである、請求項１に記載の端末装置。
【請求項１４】
前記コンテンツ情報は、画像であり、
前記通信部は、前記外部装置により第１の識別情報に対応付けられた複数のコンテンツ情報を集約したひとつの映像を受信する、請求項１に記載の端末装置。
【請求項１５】
コンテンツ情報取得装置からはコンテンツ情報を受信し、外部端末からはアクセス要求を受信する通信部と、
前記コンテンツ情報に含まれる人物を同定し、当該人物を示す第１の識別情報を生成する同定部と、
前記コンテンツ情報および前記第１の識別情報を対応付けて蓄積部に蓄積する蓄積制御部と、
前記通信部により、前記外部端末から前記蓄積部に蓄積されている前記コンテンツ情報にアクセスするユーザを特定する第２の識別情報を含む前記アクセス要求を受信すると、当該アクセス要求に含まれる前記第２の識別情報と前記蓄積部に蓄積されている前記コンテンツ情報に対応付けられた第１の識別情報との比較に基づいて生成された少なくとも一部がアクセス制限されたコンテンツ情報を、前記外部端末に送信するよう前記通信部を制御する通信制御部と、
を備える、サーバ。
【請求項１６】
前記アクセス要求は、アクセス制限の度合を示すアクセスレベル情報を含み、
前記通信制御部は、前記アクセスレベル情報に応じて少なくとも一部がアクセス制限されたコンテンツ情報を前記外部端末に送信するよう前記通信部を制御する、請求項１５に記載のサーバ。
【請求項１７】
前記アクセス要求は、少なくとも第１のアクセスレベル情報または第２のアクセスレベル情報を含み、
前記通信制御部は、前記アクセス要求に前記第１のアクセスレベル情報が含まれている場合には、前記コンテンツ情報に対応付けられた第１の識別情報に少なくとも前記ユーザを特定する第２の識別情報が含まれるコンテンツ情報のみを、前記アクセス要求に第２のアクセスレベル情報が含まれている場合には、前記コンテンツ情報に対応付けられた第１の識別情報に前記第２の識別情報または前記ユーザに紐付けられている人物を特定する第３の識別情報が含まれるコンテンツ情報のみを、前記外部端末に送信するよう前記通信部を制御する、請求項１６に記載のサーバ。
【請求項１８】
前記通信部は、前記コンテンツ情報取得装置からコンテンツ情報の取得対象範囲の時系列変化を示すコンテンツ情報取得履歴を受信し、前記外部端末から前記外部端末を所持する人物の行動履歴を受信し、
前記同定部は、前記コンテンツ情報取得履歴および前記行動履歴に基づいて、前記コンテンツ情報に含まれる人物を同定する、請求項１５に記載のサーバ。
【請求項１９】
コンピュータに、
コンテンツ情報に含まれる人物を同定し、同定した人物を示す第１の識別情報を生成するステップと、
前記コンテンツ情報および前記第１の識別情報を対応付けて外部装置に送信するステップと、
前記外部装置に蓄積されているコンテンツ情報に対して、当該コンテンツ情報にアクセスするユーザを特定する第２の識別情報を含むアクセス要求を生成するステップと、
前記アクセス要求を前記外部装置に送信するステップと、
前記外部装置により前記アクセス要求に含まれる前記第２の識別情報と前記外部装置に蓄積されている前記コンテンツ情報に対応付けられた第１の識別情報との比較に基づいて少なくとも一部がアクセス制限されたコンテンツ情報を、前記外部装置から受信するステップと、
を実行させるためのプログラム。
【請求項２０】
コンピュータに、
コンテンツ情報取得装置からコンテンツ情報を受信するステップと、
前記コンテンツ情報に含まれる人物を同定し、当該人物を示す第１の識別情報を生成するステップと、
前記コンテンツ情報および前記第１の識別情報を対応付けて蓄積するステップと、
外部端末から、蓄積されている前記コンテンツ情報にアクセスするユーザを特定する第２の識別情報を含むアクセス要求を受信するステップと、
前記アクセス要求に含まれる前記第２の識別情報と蓄積されている前記コンテンツ情報に対応付けられた第１の識別情報との比較に基づいて生成された少なくとも一部がアクセス制限されたコンテンツ情報を、前記外部端末に送信するステップと、
を実行させるためのプログラム。
【発明の詳細な説明】
【技術分野】
【０００１】
本開示は、端末装置、サーバ及びプログラムに関する。
【背景技術】
【０００２】
一般的に、行楽施設や観光地では、多くの人が思い出作りのために写真撮影やビデオ撮影を行う。また、大型の遊園地、いわゆるテーマパークでは、アトラクションの要所にカメラが設置され、乗り物が到着した時に自動撮影を行い、アトラクション終了後に希望者にプリントして販売するといったことが行われている。
【０００３】
このような設置カメラによる自動撮影に関する技術として、例えば下記特許文献１では、撮影対象となる来場者のみに無線タグのような通信手段を配布し、その通信手段から発信される識別情報の検出に基づいて撮影を行う画像撮影システムが開示されている。
【０００４】
また、下記特許文献２では、赤外線等のセンサによって撮影場所で被写体が検出されたことに基づいて、設置カメラにより撮影を行うシステムが開示されている。
【０００５】
一方、近年、自分の身に装着して自動的に外界を撮影し続けるウェラブルカメラが知られている。また、ウェラブルカメラは、自分の毎日の生活、人生を撮影し続けることから、ライフログカメラとも称されている。
【０００６】
このようなウェアラブルカメラに関し、例えば下記特許文献３では、情報端末同士を無線接続し、個人用ウェアラブルネットワークを構成し、構成した個人用ウェアラブルネットワークをインターネット接続する技術が開示されている。
【０００７】
また、下記特許文献４では、通常の撮影モードと、カメラを身に着けたままで自動撮影する自動撮影モードを切り換えて用いる技術が開示されている。
【先行技術文献】
【特許文献】
【０００８】
【特許文献１】特開２００１−１７７７５０号公報
【特許文献２】特開２００２−１１２０７４号公報
【特許文献３】特開２００１−２７４９３６号公報
【特許文献４】特開２００４−３５６９７０号公報
【発明の概要】
【発明が解決しようとする課題】
【０００９】
上述したような設置カメラおよびウェラブルカメラ等に代表される自動撮影型カメラの登場や、デジタルカメラ等の記憶容量の向上により撮影量が膨大になりつつある今日、自身が写った画像に対するアクセス制限技術のさらなる性能向上が望まれている。
【００１０】
そこで、本開示では、自身が収録されたコンテンツ情報に対して段階的なアクセス制限を課すことが可能な、新規かつ改良された端末装置、サーバ及びプログラムを提案する。
【課題を解決するための手段】
【００１１】
本開示によれば、コンテンツ情報取得部により取得されたコンテンツ情報に含まれる人物を同定し、同定した人物を示す第１の識別情報を生成する同定部と、前記コンテンツ情報および前記第１の識別情報を対応付けて外部装置に送信する通信部と、前記外部装置に蓄積されているコンテンツ情報に対するアクセス要求を生成する生成部と、を備え、前記アクセス要求は、前記外部装置に蓄積されている前記コンテンツ情報にアクセスするユーザを特定する第２の識別情報を含み、前記通信部は、前記アクセス要求を前記外部装置に送信し、前記外部装置により前記アクセス要求に含まれる前記第２の識別情報と前記外部装置に蓄積されている前記コンテンツ情報に対応付けられた第１の識別情報との比較に基づいて少なくとも一部がアクセス制限されたコンテンツ情報を、前記外部装置から受信する端末装置が提供される。
【００１２】
また、本開示によれば、コンテンツ情報取得装置からはコンテンツ情報を受信し、外部端末からはアクセス要求を受信する通信部と、前記コンテンツ情報に含まれる人物を同定し、当該人物を示す第１の識別情報を生成する同定部と、前記コンテンツ情報および前記第１の識別情報を対応付けて蓄積部に蓄積する蓄積制御部と、前記通信部により、前記外部端末から前記蓄積部に蓄積されている前記コンテンツ情報にアクセスするユーザを特定する第２の識別情報を含む前記アクセス要求を受信すると、当該アクセス要求に含まれる前記第２の識別情報と前記蓄積部に蓄積されている前記コンテンツ情報に対応付けられた第１の識別情報との比較に基づいて生成された少なくとも一部がアクセス制限されたコンテンツ情報を、前記外部端末に送信するよう前記通信部を制御する通信制御部と、を備えるサーバが提供される。
【００１３】
また、本開示によれば、コンピュータに、コンテンツ情報に含まれる人物を同定し、同定した人物を示す第１の識別情報を生成するステップと、前記コンテンツ情報および前記第１の識別情報を対応付けて外部装置に送信するステップと、前記外部装置に蓄積されているコンテンツ情報に対して、当該コンテンツ情報にアクセスするユーザを特定する第２の識別情報を含むアクセス要求を生成するステップと、前記アクセス要求を前記外部装置に送信するステップと、前記外部装置により前記アクセス要求に含まれる前記第２の識別情報と前記外部装置に蓄積されている前記コンテンツ情報に対応付けられた第１の識別情報との比較に基づいて少なくとも一部がアクセス制限されたコンテンツ情報を、前記外部装置から受信するステップと、を実行させるためのプログラムが提供される。
【００１４】
また、本開示によれば、コンピュータに、コンテンツ情報取得装置からコンテンツ情報を受信するステップと、前記コンテンツ情報に含まれる人物を同定し、当該人物を示す第１の識別情報を生成するステップと、前記コンテンツ情報および前記第１の識別情報を対応付けて蓄積するステップと、外部端末から、蓄積されている前記コンテンツ情報にアクセスするユーザを特定する第２の識別情報を含むアクセス要求を受信するステップと、前記アクセス要求に含まれる前記第２の識別情報と蓄積されている前記コンテンツ情報に対応付けられた第１の識別情報との比較に基づいて生成された少なくとも一部がアクセス制限されたコンテンツ情報を、前記外部端末に送信するステップと、を実行させるためのプログラムが提供される。
【発明の効果】
【００１５】
以上説明したように本開示によれば、自身が収録されたコンテンツ情報に対して段階的なアクセス制限を課すことが可能である。
【図面の簡単な説明】
【００１６】
。
【図１】本開示の一実施形態に係るコンテンツ情報管理システムの概要を説明するための説明図である。
【図２】第１の実施形態に係るコンテンツ情報管理システムの構成を示した説明図である。
【図３】第１の実施形態に係る自動撮影装置の構成を示した説明図である。
【図４】第１の実施形態に係るサーバの構成を示した説明図である。
【図５】第１の実施形態に係る自動撮影装置の動作処理を示すフローチャートである。
【図６】第１の実施形態に係る自動撮影装置に蓄積されたデータの送信処理の一例を説明するための説明図である。
【図７】第１の実施形態に係るコンテンツ情報管理システムによるコンテンツ情報アクセスの概要を説明するための説明図である。
【図８】第１の実施形態に係るコンテンツ情報アクセス動作処理を示すシーケンス図である。
【図９】第１の実施形態に係るサーバのアクセス制限処理の一例を示す説明図である。
【図１０】第１の実施形態に係るサーバのアクセス制限処理の一例を示す説明図である。
【図１１】第１の実施形態に係るサーバによる編集前後の映像ブロックの表示例を示す説明図である。
【図１２】第１の実施形態の変形例１に係る自動撮影装置の動作処理を示すフローチャートである。
【図１３】第１の実施形態の変形例２に係るコンテンツ情報管理システムの概要について説明するための説明図である。
【図１４】第１の実施形態の変形例２に係るコンテンツ情報管理システムの概要について説明するための説明図である。
【図１５】第２の実施形態に係るコンテンツ情報管理システムの構成を示した説明図である。
【発明を実施するための形態】
【００１７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１８】
なお、説明は以下の順序で行うものとする。
１．本開示の一実施形態に係るコンテンツ情報管理システムの概要
２．実施形態
２−１．第１の実施形態
（２−１−１．構成）
（２−１−２．コンテンツ情報収集動作）
（２−１−３．コンテンツ情報アクセス）
（２−１−４．効果）
２−２．第１の実施形態の変形例１
（２−２−１．動作）
（２−２−２．効果）
２−３．第１の実施形態の変形例２
（２−３−１．構成および動作）
（２−３−２．効果）
２−４．第２の実施形態
（２−４−１．構成）
（２−４−２．動作）
（２−４−３．効果）
３．まとめ
【００１９】
＜＜１．本開示の一実施形態に係るコンテンツ情報管理システムの概要＞＞
本開示は、一例として＜２−１．第１の実施形態＞〜＜２−４．第２の実施形態＞において詳細に説明するように、多様な形態で実施され得る。また、各実施形態によるコンテンツ情報管理システムに含まれる端末装置（自動撮影装置２および情報処理装置７）は、
Ａ．コンテンツ情報取得部（撮影部２０、マイク２１）により取得されたコンテンツ情報に含まれる人物を同定し、同定した人物を示す第１の識別情報を生成する同定部（制御部２４）と、
Ｂ．前記コンテンツ情報および前記第１の識別情報を対応付けて外部装置（サーバ４）に送信する通信部（通信部２５および情報処理装置７）と、
Ｃ．前記外部装置に蓄積されているコンテンツ情報に対するアクセス要求を生成する生成部（情報処理装置７）と、
を備え、
Ｄ．前記アクセス要求は、前記外部装置に蓄積されている前記コンテンツ情報にアクセスするユーザを特定する第２の識別情報を含み、
Ｅ．前記通信部は、前記アクセス要求を前記外部装置に送信し、前記外部装置により前記アクセス要求に含まれる前記第２の識別情報と前記外部装置に蓄積されている前記コンテンツ情報に対応付けられた第１の識別情報との比較に基づいて少なくとも一部がアクセス制限されたコンテンツ情報を、前記外部装置から受信する。
【００２０】
まず、このような各実施形態において共通するコンテンツ情報管理システムの基本構成について、図１を参照して説明する。
【００２１】
図１は、本開示の一実施形態に係るコンテンツ情報管理システムの概要を説明するための説明図である。図１に示したように、自動撮影装置２Ａ〜２Ｆが、屋外の至る所に定点設置されている。自動撮影装置２Ａ〜２Ｆは、カメラおよびマイクロフォン（以下、マイクと称す）等の各種センサを有し、継続的に録画・録音を行っている。本開示に係るコンテンツ情報管理システムでは、図１に示す屋外の他、屋内にも多数の自動撮影装置２が配置されている状況を想定する。また、以下、自動撮影装置２Ａ〜２Ｆを個別に説明する必要が無い場合、自動撮影装置２と総称する。
【００２２】
一方、図１に示すユーザ３は、自身を示す識別情報に対応する識別信号を発信可能な、ウェアラブルな識別信号発信装置１を装着している。識別信号発信装置１が発信した識別信号は、ユーザ３の周囲に配置された自動撮影装置２が受信する（受け付ける）。このとき、自動撮影装置２は、ユーザ３を録画・録音したデータ（コンテンツ情報）と、受信した識別信号に基づいて同定したユーザ３を示す識別情報とをリンク付け（対応付け）して、ネットワークを介して接続する外部装置（図２に示すサーバ４参照）に蓄積させる。このため、ユーザ３は、後に自身の識別情報を用いて、外部装置に蓄積されている、自身の識別情報と対応付けられたコンテンツ情報、即ち自身を録画・録音したデータ（映像、画像、音声またはこれらの組み合わせ）にアクセスすることができる。
【００２３】
このように、ユーザ３は、外部装置に蓄積されているコンテンツ情報のうち、自身の識別情報に対応付けられたコンテンツ情報のみ（少なくとも一部がアクセス制限されたコンテンツ情報）を取得できる利便性を得る。一方で、ユーザ３は、自身の識別情報に対応付けられたコンテンツ情報への、他人からのアクセスを段階的に制限することで、自身のプライバシーを保護することもできる。
【００２４】
なお、識別信号発信装置１は、例えばＩＣ（Ｉｎｔｅｇｒａｔｅｄ  Ｃｉｒｃｕｉｔ）タグ、ＲＦＩＤ（Ｒａｄｉｏ  Ｆｒｅｑｕｅｎｃｙ  ＩＤｅｎｔｉｆｉｃａｔｉｏｎ）等の電波式情報コードにより実現される。他にも、識別信号発信装置１は、バーコードや二次元コード等の光学式情報コードにより実現されてもよい。また、自動撮影装置２は、ユーザ３の身体的特徴を、識別信号発信装置１から発信される自身を示す識別情報に対応する識別信号として捉えてもよい。即ち、自動撮影装置２は、撮影した画像に含まれる人物の身体的特徴に基づいてユーザ３を同定する。例えば、自動撮影装置２は、撮影した画像に対して顔認識処理等を行ってユーザ３を同定してもよい。
【００２５】
また、識別信号発信装置１の装着方法は、図１に示したような、識別信号発信装置１に取り付けられた紐でユーザ３の首に掛けられる方法に限定されない。例えば、識別信号発信装置１は、ユーザ３の帽子、衣服、鞄、メガネ、サングラス等に取り付けられていてもよいし、ユーザ３の衣服のポケットに入れられてもよい。
【００２６】
また、自動撮影装置２は、図１に示すような定点設置される設置装置の他、他ユーザや動物等に装着されるウェアラブル装置であってもよいし、車両等の移動体に装着される装着型装置または内蔵される内蔵型装置であってもよい。また、自動撮影装置２は、他ユーザが把持するデジタルカメラ等の把持型装置であってもよい。
【００２７】
以上、本開示の一実施形態に係るコンテンツ情報管理システムの概要について説明した。続いて、このような本開示によるコンテンツ情報管理システムについて複数の実施形態を挙げて詳細に説明する。
【００２８】
＜＜２．実施形態＞＞
＜２−１．第１の実施形態＞
本実施形態によれば、コンテンツ情報へのアクセス容易性、およびプライバシー保護をユーザ３に提供することが可能である。以下では、図２〜図４を参照し、本実施形態の構成を説明する。
【００２９】
［２−１−１．構成］
図２は、第１の実施形態に係るコンテンツ情報管理システムの構成を示した説明図である。図２に示したように、コンテンツ情報管理システムは、ユーザ３に装着された識別信号発信装置１、ユーザ３の周囲に配置されている自動撮影装置２−１、およびサーバ４を含む。また、自動撮影装置２−１は、ネットワーク５を介してサーバ４と接続する。
【００３０】
識別信号発信装置１は、ユーザ３を示す識別情報に対応する識別信号を発信可能なウェアラブルな装置である。
【００３１】
また、自動撮影装置２−１は、継続的に撮影・収音を行い、録画・録音したデータ（コンテンツ情報）をサーバ４に送信する。ここで、自動撮影装置２−１は、上述したように、ユーザ３を録画・録音したデータと、識別信号発信装置１から受信した識別信号に基づいて同定したユーザ３を示す識別情報とをリンク付けして、サーバ４に送信する。
【００３２】
ネットワーク５は、例えばインターネット、専用線、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等により構成される。
【００３３】
サーバ４は、コンテンツ情報の蓄積および配信等の管理を行う。例えば、サーバ４は、自動撮影装置２−１により送信された、ユーザ３の識別情報と対応付けられたコンテンツ情報を蓄積する。そして、ユーザ３からのアクセス要求に応じて、ユーザ３の識別情報に対応付けられたコンテンツ情報をユーザ３に送信する。
【００３４】
このように、第１の実施形態によるコンテンツ情報管理システムでは、ユーザ３の周囲に配置された自動撮影装置２−１により、コンテンツ情報とユーザ３を示す識別情報とが対応付けられ、サーバ４に蓄積される。これにより、後にユーザ３は、自身の識別情報を用いて、サーバ４に蓄積された自身が録画・録音されたデータにアクセスすることができる。続いて、第１の実施形態によるコンテンツ情報管理システムに含まれる自動撮影装置２−１およびサーバ３の構成について、図３〜図４を参照して順次説明する。
【００３５】
（自動撮影装置）
図３は、第１の実施形態に係る自動撮影装置２−１の構成を示した説明図である。図３に示したように、自動撮影装置２−１は、撮影部２０、マイク２１、データ蓄積部２２、識別信号受信部２３、制御部２４、および通信部２５を含む。また、これらの自動撮影装置２−１の各構成は、バス２６を介して互いに通信する。
【００３６】
・撮影部
撮影部２０は、撮像素子、撮像レンズを含む撮像光学系、および撮影画像信号処理部を含み、デジタル信号とされた撮影画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。
【００３７】
・マイク
マイク２１は、周囲の音を収音し、アンプおよびＡＤＣ（Ａｎａｌｏｇ  ｔｏ  Ｄｉｇｉｔａｌ  Ｃｏｎｖｅｒｔｅｒ）等を介してデジタル信号に変換した音データを出力する。
【００３８】
・データ蓄積部
データ蓄積部２２は、撮影・収音された各記憶データを、識別情報にリンク付けて蓄積する蓄積部である。このとき、データ蓄積部２２は、各記憶データを圧縮処理して蓄積してもよい。データ蓄積部２２は、例えばカード型メモリなどのフラッシュメモリや、ＤＶＤ（Ｄｉｇｉｔａｌ
Ｖｅｒｓａｔｉｌｅ Ｄｉｓｃ）、ハードディスクなどの記録媒体により実現される。
【００３９】
・識別信号受信部
識別信号受信部２３は、識別信号発信装置１が発信した識別信号を受け付ける機能を有する。また、識別信号受信部２３は、識別信号発信装置１が識別信号を発信するためのトリガーを発信する機能を有していてもよい。例えば、識別信号発信装置１が電波式情報コードである場合には、識別信号受信部２３は、識別信号発信装置１に対して電波を発信し、識別信号発信装置１より識別信号が付加されて反射される電波を受け付ける。
【００４０】
・制御部
制御部２４は、演算処理装置および制御装置として機能し、各種プログラムに従って自動撮影装置２−１内の動作全般を制御する。制御部２４は、例えばＣＰＵ（Ｃｅｎｔｒａｌ  Ｐｒｏｃｅｓｓｉｎｇ  Ｕｎｉｔ）、マイクロプロセッサによって実現される。なお、制御部２４は、使用するプログラムや演算パラメータ等を記憶するＲＯＭ（Ｒｅａｄ  Ｏｎｌｙ  Ｍｅｍｏｒｙ）、および適宜変化するパラメータ等を一時記憶するＲＡＭ（Ｒａｎｄｏｍ  Ａｃｃｅｓｓ  Ｍｅｍｏｒｙ）を含んでいてもよい。
【００４１】
例えば、制御部２４は、識別信号受信部２３が受け付けた識別信号に基づいてユーザ３を同定し、同定したユーザ３を示す識別情報を、撮影部２０およびマイク２１が撮影・収音した各データにリンク付けてデータ蓄積部２２に蓄積させる。また、制御部２４は、上述の通り、撮影部２０が撮影した画像を用いた顔認識処理等を行い、ユーザ３を同定してもよい。
【００４２】
・通信部
通信部２５は、外部装置とデータ通信を行うための通信インターフェースである。例えば、通信部２５は、データ蓄積部２２に蓄積された各種データを、ネットワーク５を介してサーバ４に送信する。また、通信部２５は、制御部２４が識別信号または顔認識処理等に基づいてユーザ３を同定する際に、ユーザ３の顔画像、識別信号および識別情報等の情報を管理する、図示しないデータベースとのデータの送受信を行ってもよい。
【００４３】
（サーバ）
図４は、第１の実施形態に係るサーバ４の構成を示した説明図である。図４に示したように、サーバ４は、データ蓄積部４２、制御部４４、および通信部４５を含む。また、これらのサーバ４の各構成は、バス４６を介して互いに通信する。
【００４４】
・通信部
通信部４５は、外部装置とデータ通信を行うための通信インターフェースである。例えば、通信部４５は、自動撮影装置２−１が送信した各種データを受信する。また、通信部４５は、ユーザ３からアクセス要求があった際に、後述のデータ蓄積部４２に蓄積された、ユーザ３の識別情報に対応付いたコンテンツ情報をユーザ３に送信する。
【００４５】
・データ蓄積部
データ蓄積部４２は、自動撮影装置２−１から受信した、２−１が送信した各種データ、即ち自動撮影装置２−１により撮影・収音された各記憶データを、識別情報にリンク付けて蓄積する蓄積部である。データ蓄積部４２は、データ蓄積部２２と同様、例えばカード型メモリなどのフラッシュメモリや、ＤＶＤ、ハードディスクなどの記録媒体により実現される。
【００４６】
・制御部
制御部４４は、演算処理装置および制御装置として機能し、各種プログラムに従ってサーバ４内の動作全般を制御する。制御部４４は、制御部２４と同様、例えばＣＰＵ、マイクロプロセッサによって実現され、ＲＯＭ、およびＲＡＭを含んでいてもよい。
【００４７】
［２−１−２．コンテンツ情報収集動作］
次に、本実施形態に係るコンテンツ情報管理システムによるコンテンツ情報収集動作について図５を参照して説明する。具体的には、自動撮影装置２−１が収集したデータが、サーバ４に蓄積される動作処理を説明する。
【００４８】
図５は、第１の実施形態に係る自動撮影装置２−１の動作処理を示すフローチャートである。なお、本明細書では、以下、特に撮影部２０により撮影されたデータに関して説明する。そして、マイク２１により収音されたデータに関する説明は、撮影されたデータに関するものと同様であるため省略する。
【００４９】
まず、ステップＳ１０４で、撮影部２０は常時撮影を行う。
【００５０】
次いで、ステップＳ１０８で、制御部２４は、識別信号受信部２３が識別信号を受信したか否かを判定する。なお、上述のように顔認識処理等によってユーザ３を同定する場合には、制御部２４は、撮影部２０が撮影した映像（または画像）に人物が含まれるか否かを判定する。
【００５１】
このとき、制御部２４は、上記条件に加えて、撮影部２０が撮影した映像が所定の条件を満たすか否かを判定してもよい。例えば、制御部２４は、ユーザ３が撮影スポットに対して適切な位置にいること、顔が撮影部２０の方向を向いていること、表情が笑顔であること、第三者が含まれないこと等の条件を、満たすか否かを判定してもよい。
【００５２】
次に、識別信号受信部２３が識別信号を受信した場合、または撮影部２０が撮影した映像に人物が含まれる場合（Ｓ１０８／Ｙｅｓ）、ステップＳ１１２で、制御部２４は識別信号の解析または映像の顔認識処理を行い、ユーザ３を同定する。
【００５３】
続いて、ステップＳ１１６で、制御部２４は、ステップＳ１０８で撮影した映像と、ステップＳ１１２で同定したユーザ３、即ち映像に含まれるユーザ３を示す識別情報とのリンク付けを行う。より詳しくは、制御部２４は、数秒または数フレーム（１フレームの場合は画像）等の任意の単位の映像ブロックを、当該映像ブロックに含まれるユーザ３を示す識別情報にリンク付けする。
【００５４】
そして、ステップＳ１２０で、データ蓄積部２２は、制御部２４によりリンク付けされた識別情報および映像ブロックを蓄積する。なお、識別信号受信部２３が識別信号を受信していない場合、および撮影部２０が撮影した映像に人物が含まれない場合（Ｓ１０８／Ｎｏ）は、ステップＳ１２０で、データ蓄積部２２は、映像ブロックのみを蓄積する。
【００５５】
なお、このとき、制御部２４は、映像ブロックにおけるユーザ３の座標を特定する情報を合せてデータ蓄積部２２に蓄積してもよい。例えば、制御部２４は、識別信号受信部２３が受信した識別信号の信号強度、電波到達時間等の情報に基づく推定、または顔認識処理等によって、ユーザ３の映像ブロックにおける座標を特定してもよい。
【００５６】
続いて、ステップＳ１２４で、制御部２４は、データ送信を実行するか否かを判定する。例えば、ネットワーク５の通信障害等により通信部２５が通信できない場合や、現時刻がデータ送信間隔の間である場合、制御部２４はデータ送信を実行しないと判定する。また、制御部２４は、データ蓄積部２２に識別情報にリンク付けされた未送信の映像ブロックが蓄積されている場合にデータ送信を実行すると判定し、蓄積されていない場合に実行しないと判定してもよい。
【００５７】
次に、データ送信を実行する場合（Ｓ１２４／Ｙｅｓ）、通信部２５は、ステップＳ１２８で、データ蓄積部２２に蓄積された映像ブロックを、ネットワーク５を介してサーバ４に送信する。なお、通信部２５は、識別情報にリンク付けされた映像ブロックのみを、選択的に送信してもよい。
【００５８】
このとき、サーバ４側では、通信部４５が通信部２５により送信されたデータを受信する。そして、制御部４４は、データ蓄積部４２に、識別情報にリンク付けされた映像ブロックを蓄積するよう制御する。
【００５９】
なお、本実施形態では、ステップＳ１１２およびＳ１１６において、自動撮影装置２−１がユーザ３を同定する例を説明したが、本開示はかかる例に限定されない。例えば、ステップＳ１１２およびＳ１１６を、サーバ４が行ってもよい。この場合、自動撮影装置２−１は、映像ブロックと受信した識別信号とのリンク付けを行い、識別信号にリンク付けされた映像ブロックをサーバ４に送信する。続いて、制御部４４は、識別信号の解析を行ってユーザ３を同定し、映像ブロックと同定したユーザ３を示す識別情報とのリンク付けを行う。他にも、自動撮影装置２−１は人物が含まれる映像ブロックをサーバ４に送信し、制御部４４が顔認識処理を行ってユーザ３を同定してもよい。
【００６０】
最後に、ステップＳ１３２で、制御部２４は、撮影部２０による撮影を終了するか否かを判定する。そして、撮影を継続する場合（Ｓ１３２／Ｎｏ）には自動撮影装置２−１の処理はステップＳ１０４に進み、終了する場合（Ｓ１３２／Ｙｅｓ）には処理は終了する。
【００６１】
（補足）
上述のステップＳ１２４およびＳ１２８に関し、自動撮影装置２が通信部２５を有していない場合もある。この場合の動作処理について、図６を参照して説明する。
【００６２】
図６は、第１の実施形態に係る自動撮影装置２に蓄積されたデータの送信処理の一例を説明するための説明図である。図６に示したように、通信部２５を有しない自動撮影装置２−２は、通信機能を有する通信装置６に、蓄積した各種データをＵＳＢ接続等により伝送する。そして、通信装置６は、伝送されたデータを、ネットワーク５を介してサーバ４に送信する。このような通信装置６は、例えばＰＣ（Ｐｅｒｓｏｎａｌ  Ｃｏｍｐｕｔｅｒ）、スマートフォン、携帯電話等の装置によって実現される。
【００６３】
なお、上記では自動撮影装置２−１またはサーバ４がユーザ３を同定する例を説明したが、通信装置６がユーザ３を同定してもよい。
【００６４】
［２−１−３．コンテンツ情報アクセス］
以上、本実施形態に係る自動撮影装置２−１およびサーバ４によるコンテンツ情報収集動作について説明した。続いて、本実施形態に係るコンテンツ情報管理システムによるコンテンツ情報アクセスについて説明する。上述したように、ユーザ３は、後に自身の識別情報を用いて、サーバ４に蓄積された自身が録画・録音されたデータにアクセスすることができる。ここでは、任意の情報処理装置からの、ユーザ３の識別情報にリンク付けされた映像ブロックへのアクセスについて説明する。まず、図７を参照して任意の情報処理装置を用いたサーバ４へのアクセスの概要について説明する。
【００６５】
図７は、第１の実施形態に係るコンテンツ情報管理システムによるコンテンツ情報アクセスの概要を説明するための説明図である。図７で示したように、ユーザ３は、ネットワーク５を介してサーバ４と接続する情報処理装置７（外部端末）を用いて、サーバ４にアクセスする。
【００６６】
情報処理装置７は、通信機能を有し、識別信号発信装置１から、ユーザ３を示す識別信号を受信し、アクセス要求するユーザ３を示す識別情報（以下、第２の識別情報とも称す）を含むアクセス要求を生成する。また、情報処理装置７は、ネットワーク５を介して、生成したアクセス要求をサーバ４に送信し、リンク付けされた識別情報（以下、第１の識別情報とも称す）がユーザ３を示す映像ブロックにアクセスする。なお、情報処理装置７は、通信機能の他に、ＣＲＴ（Ｃａｔｈｏｄｅ  Ｒａｙ  Ｔｕｂｅ）ディスプレイ装置、液晶ディスプレイ（ＬＣＤ）装置等により実現される表示部を有し、アクセスした映像ブロックを表示することができる。このような情報処理装置７は、例えばＰＣ、スマートフォン、携帯電話等の装置によって実現される。
【００６７】
次に、本実施形態に係るコンテンツ情報アクセス動作について、図８を参照して説明する。図８は、第１の実施形態に係るコンテンツ情報アクセス動作処理を示すシーケンス図である。
【００６８】
まず、ステップＳ２０４で、情報処理装置７は、識別信号発信装置１が発信した識別信号を受信し、さらに識別信号を解析してユーザ３を同定し、アクセス要求するユーザ３を示す識別情報（第２の識別情報）を含むアクセス要求を生成する。なお、上述の通り、情報処理装置７は顔認識処理等によってユーザ３を同定してもよい。また、アクセス要求は、アクセス制限の度合を示すアクセスレベル情報を含む。
【００６９】
なお、アクセス要求には、サーバ４で認証するためのパスコードが含まれていてもよい。そして、これらアクセスレベル情報、パスコードは識別信号発信装置１より発信されてもよい。また、情報処理装置７は、識別信号ではなく、第２の識別情報、アクセスレベル情報、およびパスコードのユーザ３からの入力を受け付け、入力された情報に基づいてアクセス要求を生成してもよい。
【００７０】
続いて、ステップＳ２０８で、情報処理装置７は、アクセス要求をサーバ４に送信する。
【００７１】
そして、アクセス要求を受信したサーバ４は、ステップＳ２１２で、情報処理装置７に送信するためのデータの編集を行う。より詳しくは、制御部４４は、アクセス要求に含まれる情報および映像ブロックにリンク付けされた第１の識別情報に基づいて、映像ブロックに対してアクセス制限を行う。そして、制御部４４は、アクセス制限を行っていない、アクセス許可された映像ブロックのみが、情報処理装置７への送信データとなるようデータ編集する。このようなデータ編集処理については、後に詳細に説明する。
【００７２】
なお、本実施形態では、アクセス要求を受信した際に制御部４４が送信データの編集を行う例を説明するが、本開示はかかる例に限定されない。例えば、制御部４４は、自動撮影装置２−１から識別情報にリンク付けされた映像ブロックを受信した際等の任意のタイミングで、送信データを編集し、データ蓄積部４２に蓄積しておいてもよい。
【００７３】
次に、ステップＳ２１６で、通信部４５は、編集されたデータを情報処理装置７に送信する。
【００７４】
最後に、サーバ４から編集されたデータを受信した情報処理装置７は、ステップＳ２２０で、受信したデータを表示部に表示する。
【００７５】
（データ編集処理）
以下では、ステップＳ２１２における制御部４４によるデータ編集処理について、詳細に説明する。上述したように、制御部４４は、アクセス要求に含まれる情報および映像ブロックにリンク付けされた第１の識別情報に基づいて、映像ブロックに対してアクセス制限を行う。
【００７６】
ここで、アクセス要求は、第２の識別情報およびアクセスレベル情報を含んでいる。そして、制御部４４は、第２の識別情報と、データ蓄積部２２に蓄積された映像ブロックにリンク付けされた第１の識別情報との比較に基づいて、映像ブロックに対してアクセスレベル情報に応じたアクセス制限を行う。
【００７７】
アクセス要求は、少なくとも、異なったアクセス制限の度合を示す第１のアクセスレベル情報または第２のアクセスレベル情報を含む。以下では、アクセス要求に第１のアクセスレベル情報が含まれる場合、および第２のアクセスレベル情報が含まれる場合におけるアクセス制限処理について、順次説明する。
【００７８】
アクセス要求に第１のアクセスレベル情報が含まれる場合、制御部４４は、第１の識別情報に第２の識別情報が含まれる映像ブロックのみを、アクセス可能とする。以下、図９を参照し具体例を用いて説明する。
【００７９】
図９は、第１の実施形態に係るサーバ４のアクセス制限処理の一例を示す説明図である。サーバ４のデータ蓄積部４２は、図９に示したように、映像データ１（４２１）および映像データ２（４２４）を蓄積している。ここで、映像データ１（４２１）は、ユーザ３Ａを示す識別情報Ａ（４２２）およびユーザ３Ｂを示す識別情報Ｂ（４２３）にリンク付けられている。また、映像データ２（４２４）は、識別情報Ａ（４２５）およびユーザ３Ｃを示す識別情報Ｃ（４２６）にリンク付けられている。ここで、識別情報Ａ〜Ｃは、上述した第１の識別情報に相当する。
【００８０】
そして、サーバ４が情報処理装置７から受信するアクセス要求は、アクセス要求者（ユーザ３Ａ）を示す第２の識別情報および第１のアクセスレベル情報を含んでいるものとする。この場合、制御部４４は、第１の識別情報に第２の識別情報であるユーザ３Ａを示す識別情報Ａが含まれる映像データをアクセス可能とする。具体的には、制御部４４は、映像ブロック５０１、５０２、５０３をアクセス可能とする。
【００８１】
一方で、アクセス要求に第２のアクセスレベル情報が含まれる場合、制御部４４は、第１の識別情報に、第２の識別情報、またはアクセス要求したユーザ３に紐付けられている人物を示す第３の識別情報が含まれる映像ブロックのみを、アクセス可能とする。
【００８２】
ここで、ユーザ３に紐づけられている人物とは、例えばユーザ３の家族、友人等である。そこで、制御部４４は、第３の識別情報（アクセス要求したユーザ３の家族、友人等を示す）を取得するために、ユーザ３の識別情報に対応する第３の識別情報を管理する、図示しないデータベースとのデータの送受信を行うよう通信部４５を制御してもよい。
【００８３】
なお、第３の識別情報は、ユーザ３の家族、友人等が、自身が含まれる映像ブロックへのユーザ３のアクセス許可を設定した際に、ユーザ３の識別情報に対応する第３の識別情報としてデータベース等に設定される。このとき、ユーザ３の家族、友人等は、自身が含まれる映像ブロックのユーザ３への公開レベルを設定してもよい。そして、サーバ４は、第１の識別情報に、第３の識別情報が含まれる映像ブロックのうち、公開レベルを満たす映像ブロックを、アクセス可能としてもよい。例えば、ユーザ３の家族、友人等は、公開レベルを用いることで、自身が含まれる映像ブロックのうち、屋外で撮影された、またはユーザ３との共通の友人が含まれている等の条件を満たした映像ブロックのみを、ユーザ３がアクセス可能にできる。他にも、ユーザ３の家族、友人等は、日時や場所（位置情報）を指定して公開レベルを設定することで、例えばユーザ３と共に旅行に行った際の映像ブロックを、ユーザ３がアクセス可能にできる。
【００８４】
以下、図１０を参照して、アクセス要求に第２のアクセスレベル情報が含まれる場合のアクセス制限処理について、具体例を用いて説明する。
【００８５】
図１０は、第１の実施形態に係るサーバ４のアクセス制限処理の一例を示す説明図である。サーバ４のデータ蓄積部４２は、図１０に示したように、図９を参照して上記説明した映像データ１（４２１）および映像データ２（４２４）を、同様に蓄積している。
【００８６】
そして、アクセス要求は、ユーザ３Ａを示す第２の識別情報および第２のアクセスレベル情報を含んでいるものとする。そして、ユーザ３Ａはユーザ３Ｂおよび３Ｃと友人であり、制御部４４は第３の識別情報として３Ｂおよび３Ｃを示す識別情報を取得したものとする。この場合、制御部４４は、第１の識別情報に、第２の識別情報であるユーザ３Ａを示す識別情報Ａ、または第３の識別情報であるユーザ３Ｂおよび３Ｃを示す識別信号ＢおよびＣが含まれる映像データをアクセス可能とする。具体的には、制御部４４は、映像ブロック５１１、５１２、５１３、５１４、５１５をアクセス可能とする。
【００８７】
（データ編集処理の変形例１）
上記説明したアクセス制限処理では、制御部４４は、映像ブロックを対象としてアクセス許可または制限を行う例を説明したが、本開示はかかる例に限定されない。例えば、制御部４４は、映像内の所定領域（映像領域）を対象としてアクセス許可または制限を行ってもよい。
【００８８】
この場合、制御部４４は、制御部４４は、第２の識別情報と、データ蓄積部２２に蓄積された映像ブロックにリンク付けされた第１の識別情報との比較に基づいて、映像領域に対してアクセスレベル情報に応じたアクセス制限を行う。
【００８９】
なお、映像領域に対するアクセス制限とは、映像ブロックに含まれる人物の識別力が劣化するよう、アクセス制限対象の人物を含む映像領域を加工することを示す。例えば、映像領域に対するアクセス制限は、人物全体または顔部分等に所定の画像を上書き、モザイク処理、ぼかし処理等を行うことにより実現される。また、このような処理のため、制御部４４は、図７を参照してステップＳ１２０について説明した、映像ブロックにおけるユーザ３の座標を特定する情報を用いてもよい。
【００９０】
また、アクセス要求に第１のアクセスレベル情報が含まれる場合、制御部４４は、第２の識別情報が示す人物以外の第三者を含む映像領域に対して、アクセス制限を行う。一方で、アクセス要求に第２のアクセスレベル情報が含まれる場合、制御部４４は、第２の識別情報、または第３の識別情報が示す人物以外の第三者を含む映像領域に対して、アクセス制限を行う。
【００９１】
以下、サーバ４が映像領域に対してアクセス制限した場合の、情報処理装置７が表示する（ステップＳ２２０）映像ブロックの表示例について、図１１を参照して説明する。
【００９２】
図１１は、第１の実施形態に係るサーバ４による編集前後の映像ブロックの表示例を示す説明図である。図１１では、サーバ４による編集が何らされていない映像ブロックの表示例７１、およびサーバ４により映像領域に対するアクセス制限がなされた映像ブロックの表示例７２を示した。表示例７１および７２には、それぞれアクセス要求したユーザ３Ａ、ユーザ３Ａの友人であるユーザ３Ｂ、ユーザ３Ａとは他人であるユーザ３Ｃが含まれている。
【００９３】
なお、アクセス要求は、ユーザ３Ａを示す第２の識別情報および第２のアクセスレベル情報を含んでいるものとする。このため、表示例７２では、ユーザ３Ａおよび３Ｂは加工されることなく表示され、ユーザ３Ｃの顔領域にはアクセス制限されたことを示すアクセス制限記号５２１が表示される。
【００９４】
（データ編集処理の変形例２）
上記説明したデータ編集処理では、制御部４４はアクセス制限処理を行うとしたが、本開示はかかる例に限定されない。例えば、制御部４４は、ユーザ３が情報処理装置７で映像ブロックを閲覧する際の利便性を向上するための、各種映像処理を行ってもよい。具体的には、制御部４４は、多様な場所に配置された自動撮影装置２−１で撮影された、ユーザ３を含む映像ブロックを複数集約した映像を、送信データとしてもよい。他にも、制御部４４は、ユーザ３が映像ブロックに占める範囲が所定の基準値以上の映像ブロックのみが、送信データとなるよう編集してもよい。そして、このような各種データ編集の実行可否を規定する情報は、アクセス要求に含まれていてもよい。
【００９５】
なお、制御部４４は、上記説明したデータ編集処理、データ編集処理の変形例１、および変形例２を組み合わせて、データを編集してもよい。
【００９６】
（補足）
上記では、アクセス要求にユーザ３自身を示す識別情報が含まれる例を説明したが、本開示はかかる例に限定されない。例えば、アクセス要求は他人の識別情報等を含んでいてもよい。具体的には、ユーザ３は、自身が含まれる映像に含まれる他人の顔を指定してアクセス要求を生成するすると、顔認識処理により指定した他人が同定され、当該他人が含まれる映像にアクセスしてもよい。
【００９７】
［２−１−４．効果］
上記説明したように、本実施形態に係る自動撮影装置２−１はシャッターボタン押下などの操作が不要であるので、ユーザ３は、撮影の負担を負うことなく、自身や家族、友人等の映像を取得することができる。また、自動撮影装置２−１は至る所に多数配置され自動で撮影するので、ユーザ３は、撮影を意識しない自然な表情や仕種、および一瞬の出来事を逸機せずに映像として取得することができる。
【００９８】
また、サーバ４は、アクセス要求に第１のアクセスレベル情報が含まれる場合、第１の識別情報に第２の識別情報が含まれる映像ブロックのみを、アクセス可能とする。このため、ユーザ３は、アクセス要求に自身の識別情報を付加することで、自身の識別情報にリンク付いた映像のみを取得できる。従って、自動撮影装置２−１より撮影された映像の量が膨大であっても、ユーザ３は容易に自身が含まれる映像のみを取得できる。
【００９９】
また、サーバ４は、アクセス要求に第２のアクセスレベル情報が含まれる場合、第１の識別情報に、第２の識別情報、または第３の識別情報が含まれる映像ブロックのみを、アクセス可能とする。このため、ユーザ３は、ユーザ３の家族、友人等のユーザ３に紐づいた人物が含まれる映像を容易に取得できる。別の観点によれば、ユーザ３は、第３の識別情報を設定することで、自身が含まれる映像を、家族、友人等と共有することができる。
【０１００】
例えば、結婚式、入学式、卒業式などの行事においては、ユーザ３は、自動撮影装置２−１により大量の映像を取得できる。その上、ユーザ３は、取得した映像から自身、家族、友人等が含まれる映像のみを抽出する等の様々な編集処理が行われた編集データを取得することができる。
【０１０１】
さらに、遊園地、動物園などのレジャー施設においては、ユーザ３は、アトラクションに定点設置された設置カメラによって撮影された、アトラクション利用中の映像を取得できる。また、自動撮影装置２−１が、ユーザ３が撮影スポットに対して適切な位置にいることを条件のひとつとして撮影する場合には、ユーザ３は、撮影スポットにおける映像を、撮影の負担を負うことなく取得できる。また、ユーザ３は、撮影の負担を負わないので、レジャー自体を満喫することができる。
【０１０２】
一方で、サーバ４は、第３の識別情報に基づいて、ユーザ３が含まれる映像ブロックへの段階的なアクセス制限を課すことができる。このため、ユーザ３は、自身が含まれる映像に、自身、自身の家族、友人等のみがアクセス可能とすることで、プライバシーを保護することができる。また、サーバ４は、第３の識別情報および公開レベルに基づいて、さらに段階的なアクセス制限を課すことができる。
【０１０３】
＜２−２．第１の実施形態の変形例１＞
本変形例によれば、コンテンツ情報管理システムは、最適化されたパラメータで取得したコンテンツ情報をユーザ３に提供することが可能である。本変形例に係るコンテンツ情報管理システムの構成は、＜２−１．第１の実施形態＞の構成において説明した通りであるので、ここでの詳細な説明を省略する。以下では、図１２を参照し、本変形例に係るコンテンツ情報管理システムによるコンテンツ情報収集動作を説明する。具体的には、自動撮影装置２によるデータ収集処理を説明する。
【０１０４】
［２−２−１．動作］
図１２は、第１の実施形態の変形例１に係る自動撮影装置２の動作処理を示すフローチャートである。なお、本明細書では、以下、自動撮影装置２が識別信号によりユーザ３を同定する例を説明し、顔認識処理等、ならびにサーバ４が同定する例の説明を省略する。
【０１０５】
また、本変形例に係る自動撮影装置２は、図３を参照して上記説明した自動撮影装置２−１と同様の構成であるため、以下、自動撮影装置２−１´と称する。
【０１０６】
まず、ステップＳ２０４で、制御部２４は、識別信号受信部２３が識別信号を受信したか否かを判定する。
【０１０７】
次に、識別信号受信部２３が識別信号を受信した場合（Ｓ２０４／Ｙｅｓ）、ステップＳ２０８で、制御部２４は識別信号の解析を行い、ユーザ３を同定する。一方で、識別信号受信部２３が識別信号を受信しない場合（Ｓ２０４／Ｎｏ）、自動撮影装置２−１´は、識別信号を受信するまで待機する。
【０１０８】
続いて、ステップＳ２１２で、制御部２４は、撮影部２０による撮影のためのパラメータを最適化する。例えば、制御部２４は、識別信号発信装置１の位置に応じて撮影部２０の撮影方向、画角、ピント、ズーム、露出等を最適化する。このとき、制御部２４は、ステップＳ２０４で同定したユーザ３の身長、年齢、性別等の情報を、ユーザ３の識別情報を用いて図示しないデータベースから通信部２５により取得し、最適化の際に用いてもよい。例えば、制御部２４は、撮影部２０を制御して、ユーザ３の身長情報を用いて画角を調整し、ユーザ３の顔が収まり得る範囲までズームさせることで、ユーザ３の顔をより的確に撮影させることができる。
【０１０９】
その後、ステップＳ２１６で、撮影部２０は、制御部２４により最適化されたパラメータに基づいて撮影を行う。
【０１１０】
その後の、ステップＳ２２０以降の処理は、図５を参照して上記説明したステップＳ１１６以降の処理と同様であるため、ここでの説明は省略する。
【０１１１】
［２−２−２．効果］
上記説明したように、本変形例に係る自動撮影装置２−１´は、識別信号を受信したことを契機として撮影を行う。従って、自動撮影装置２−１´は、常時撮影する例と比較して、データ蓄積部２２に蓄積するデータ量が少ないので、データ蓄積部２２の記憶容量を削減することができる。
【０１１２】
また、自動撮影装置２−１´は、撮影部２０による撮影のためのパラメータを最適化する。従って、自動撮影装置２−１´は、パラメータを調整しない例と比較して、鮮明な映像をユーザ３に提供することができる。
【０１１３】
＜２−３．第１の実施形態の変形例２＞
本変形例によれば、コンテンツ情報管理システムは様々な人物の目線から取得したコンテンツ情報を、ユーザ３に提供することが可能である。上述したように、本実施形態係る自動撮影装置２は、定点設置された設置カメラの他、他ユーザに装着されるウェアラブル装置であってもよい。各ユーザに装着された自動撮影装置２で、互いを撮影することにより、ユーザ３は、様々な人物の目線から撮影された画像を取得することができる。本変形例においては、このようなウェアラブルな自動撮影装置２について説明する。
【０１１４】
［２−３−１．構成および動作］
図１３は、第１の実施形態の変形例２に係るコンテンツ情報管理システムの概要について説明するための説明図である。図１３に示したように、コンテンツ情報管理システムは、ユーザ３に装着された識別信号発信装置１および自動撮影装置２−３を含む。例えば、ユーザ３は、自動撮影装置２−３を、撮像レンズが設けられた面が表になるよう装着してもよい。なお、自動撮影装置２−３の構成は、図３を参照して上記説明した自動撮影装置２−１の構成と同様である。
【０１１５】
ユーザ３に装着された識別信号発信装置１が発信した識別信号は、図２および図７を参照して上記説明したように、ユーザ３を撮影し得る自動撮影装置２が受信する。ただし、本変形例においては、ユーザ３に装着された識別信号発信装置１が発した識別信号を、同じくユーザ３に装着された自動撮影装置２−３も受信する。この場合、自動撮影装置２−３は、ユーザ３の毎日の生活、人生を撮影し続けるライフログカメラとして機能する。なお、自動撮影装置２−３は、予めユーザ３の識別情報を設定されていてもよい。
【０１１６】
そして、自動撮影装置２−３を装着した複数のユーザ３が対面した場合には、ユーザ３に装着された識別信号発信装置１が発信した識別信号は、対面したユーザ３の有する自動撮影装置２−３が受信する。以下、図１４を参照して、具体例を用いて説明する。
【０１１７】
図１４は、第１の実施形態の変形例２に係るコンテンツ情報管理システムの概要について説明するための説明図である。図１４、識別信号発信装置１（１Ａ、１Ｂ）および自動撮影装置２−３（２−３Ａ、２−３Ｂ）を装着した、ユーザ３Ａおよび３Ｂが対面している。
【０１１８】
ユーザ３Ａに装着された識別信号発信装置１−Ａが発信した識別信号は、対面したユーザ３Ｂに装着された自動撮影装置２−３Ｂが受信する。そして、自動撮影装置２−３Ｂは、撮影した映像を、識別信号発信装置１−Ａが発信した識別信号に基づく識別情報にリンク付けて、サーバ４に送信する。
【０１１９】
［２−３−２．効果］
上記説明したように、本実施形態に係る自動撮影装置２−３は、ユーザ３のライフログカメラとして機能することができる。特に、自動撮影装置２−３はユーザ３に装着されているため、ユーザ３は、ユーザ３の目線での映像を取得することができる。
【０１２０】
また、自動撮影装置２−３は、撮影した映像に含まれる他人にとっての上記説明した自動撮影装置２としても機能する。従って、自動撮影装置２−３により撮影された他人は、撮影された映像のうち、当該他人が含まれる映像にアクセスすることができる。このように、ユーザ３は、自動撮影装置２−３を装着した他人と対話やすれ違い等する場合に、他人の目線での映像を取得することができる。
【０１２１】
このため、ユーザ３は、様々な人物の目線での映像を取得することができる。例えば、入学式においては、入学式に出席する子供の目線、親であるユーザ３の目線等からの多角的な映像を、ユーザ３は取得することができる。また、動物園においては、ユーザ３は、自動撮影装置２−３を装着した動物の目線からのユーザ３の映像を、取得することができる。
【０１２２】
なお、識別信号発信装置１および自動撮影装置２−３は、一体的に形成されてユーザに装着されてもよい。
【０１２３】
＜２−４．第２の実施形態＞
また、本実施形態によれば、行動履歴および撮影履歴に基づいてアクセス制限を行うことが可能である。以下では、図１５を参照し、本実施形態に係るコンテンツ情報管理システムの構成を説明する。
【０１２４】
［２−４−１．構成］
図１５は、第２の実施形態に係るコンテンツ情報管理システムの構成を示した説明図である。図１５に示したように、コンテンツ情報管理システムは、ユーザ３に装着された位置・時間情報記録装置９、ならびに隣接または一体的に形成された自動撮影装置２−４および位置・時間情報通知装置８を含む。
【０１２５】
位置・時間情報通知装置８は、自動撮影装置２−４が存在している位置を検知して、位置情報および現時刻を示す時間情報を出力する。例えば、位置・時間情報通知装置８は、ＧＰＳ（Ｇｌｏｂａｌ  Ｐｏｓｉｔｉｏｎｉｎｇ  Ｓｙｓｔｅｍ）衛星からの電波を受信することで、自動撮影装置２−４が存在している位置を検知する。
【０１２６】
自動撮影装置２−４は、図３を参照して上記説明した自動撮影装置２−１と同様の構成を含む。ただし、自動撮影装置２−４は、後述の通り識別信号または顔認識処理によってはユーザ３を同定しないので、識別信号受信部２３を含まなくてもよい。
【０１２７】
位置・時間情報記録装置９は、位置・時間情報記録装置９が装着されたユーザ３が存在している位置を検知して、ユーザ３の位置の時系列変化を示す行動履歴を記録する。位置・時間情報記録装置９は、例えばＧＰＳロガー、携帯電話等により実現される。
【０１２８】
なお、自動撮影装置２−４および位置・時間情報記録装置９は、図１３および１４を参照して上記説明したように、ユーザ３に装着されてもよい。
【０１２９】
［２−４−２．動作］
以上、本実施形態に係るコンテンツ情報管理システムの構成について説明した。続いて、本実施形態に係るコンテンツ情報管理システムにおける、コンテンツ情報収集動作およびコンテンツ情報アクセス動作を説明する。
【０１３０】
（コンテンツ情報収集動作）
自動撮影装置２−４は、位置・時間情報通知装置８が出力した位置および時間情報と、撮影部２０による撮影範囲を示す撮影方向および画角情報等とを、撮影したデータに対応付ける。詳しくは、自動撮影装置２−４は、位置および撮影範囲を組み合わせた、撮影対象範囲の時系列変化を示す撮影履歴（コンテンツ情報取得履歴）を、映像ブロックにリンク付けてサーバ４に送信し、データ蓄積部４２に蓄積させる。
【０１３１】
（コンテンツ情報アクセス動作）
コンテンツ情報アクセス動作は、図７〜１１を参照して上記説明した動作と同様である。ただし、本実施形態に係る情報処理装置７がサーバ４に送信するアクセス要求は、行動履歴およびアクセスレベル情報を含む。
【０１３２】
ここで、サーバ４は、撮影履歴にリンク付けされた映像ブロックをデータ蓄積部４２に蓄積している。そして、制御部４４は、アクセス要求に含まれる行動履歴と撮影履歴とを照合することで、映像ブロックに含まれるユーザ３を同定し、映像ブロックに対してアクセス制限を行う。
【０１３３】
具体的には、制御部４４は、ある時刻における撮影履歴が示す撮影範囲と、行動履歴が示す存在位置とが一致する場合に、一致している間の映像ブロックに含まれるユーザ３は、アクセス要求を送信した人物である、と同定する。そして、制御部４４は、上記図８〜１１を参照して説明したデータ編集処理を同様に行い、編集したデータを情報処理装置７に送信する。
【０１３４】
［２−４−３．効果］
上記説明したように、本実施形態に係るサーバ４は、行動履歴および撮影履歴に基づいて、映像ブロックに対するアクセス制限を行う。このため、サーバ４は、映像ブロックに撮影履歴のみをリンク付けて記憶するので、映像ブロックに含まれる人物数の識別情報をリンク付けて記憶する例と比較して、データ蓄積部４２の記憶容量を削減することができる。
【０１３５】
また、サーバ４は、行動履歴および撮影履歴に基づいてユーザ３を同定するので、夜間や天候不良等によって映像が不鮮明であり顔認識処理が困難な状況であっても、ユーザ３を同定することができる。
【０１３６】
＜＜３．まとめ＞＞
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３７】
例えば、上記実施形態では、本開示に係る端末装置を、自動撮影装置２および情報処理装置７として、機能を分離させて記載したが、本技術はかかる例に限定されない。自動撮影装置２および情報処理装置７は、一体的に形成されていてもよい。
【０１３８】
また、上記実施形態では、映像ブロックに人物が含まれている場合に、当該人物を示す識別情報とリンク付けされるとしたが、本技術はかかる例に限定されない。例えば、映像ブロックに人物の所有物が含まれている場合に、当該人物を示す識別情報とリンク付けされてもよい。例えば、ユーザ３のペットや車が含まれた映像ブロックにユーザ３を示す識別情報がリンク付けされることで、ユーザ３は、所在不明になったペットや車をリンク付けされた映像ブロックから容易に探し出すことができる。
【０１３９】
なお、以下のような構成も本開示の技術的範囲に属する。
（１）
コンテンツ情報取得部により取得されたコンテンツ情報に含まれる人物を同定し、同定した人物を示す第１の識別情報を生成する同定部と、
前記コンテンツ情報および前記第１の識別情報を対応付けて外部装置に送信する通信部と、
前記外部装置に蓄積されているコンテンツ情報に対するアクセス要求を生成する生成部と、
を備え、
前記アクセス要求は、前記外部装置に蓄積されている前記コンテンツ情報にアクセスするユーザを特定する第２の識別情報を含み、
前記通信部は、前記アクセス要求を前記外部装置に送信し、前記外部装置により前記アクセス要求に含まれる前記第２の識別情報と前記外部装置に蓄積されている前記コンテンツ情報に対応付けられた第１の識別情報との比較に基づいて少なくとも一部がアクセス制限されたコンテンツ情報を、前記外部装置から受信する、端末装置。
（２）
前記アクセス要求は、アクセス制限の度合を示すアクセスレベル情報を含み、
前記通信部は、前記アクセスレベル情報に応じて少なくとも一部がアクセス制限されたコンテンツ情報を前記外部装置から受信する、前記（１）に記載の端末装置。
（３）
前記アクセス要求は、少なくとも第１のアクセスレベル情報または第２のアクセスレベル情報を含み、
前記通信部は、前記アクセス要求に前記第１のアクセスレベル情報が含まれている場合には、前記コンテンツ情報に対応付けられた第１の識別情報に、少なくとも前記ユーザを特定する第２の識別情報が含まれるコンテンツ情報のみを受信し、前記アクセス要求に第２のアクセスレベル情報が含まれている場合には、前記コンテンツ情報に対応付けられた第１の識別情報に、前記第２の識別情報または前記ユーザに紐付けられている人物を特定する第３の識別情報が含まれるコンテンツ情報のみを受信する、前記（２）に記載の端末装置。
（４）
前記少なくとも一部がアクセス制限されたコンテンツ情報は、前記ユーザ以外の第三者を含む部分の識別力が劣化するよう加工されたコンテンツ情報である、前記（１）〜（３）のいずれか一項に記載の端末装置。
（５）
前記コンテンツ情報取得部は、コンテンツ情報として撮像画像を取得する撮像部であって、
前記同定部は、前記撮像部により撮影された撮像画像に対して画像認識処理を行うことにより、前記コンテンツ情報に含まれる人物を同定して前記第１の識別情報を生成する、前記（１）〜（４）のいずれか一項に記載の端末装置。
（６）
前記端末装置は、識別信号発信装置から発信される識別信号を受け付ける受付部をさらに備え、
前記識別信号は、前記識別信号発信装置を所持する人物を示す信号であって、
前記同定部は、前記受付部が受け付けた前記識別信号に基づいて、前記同定した人物を示す第１の識別情報を生成する、前記（１）〜（５）のいずれか一項に記載の端末装置。
（７）
前記コンテンツ情報取得部は、常時、または前記受付部が前記識別信号発信装置から前記識別信号を受け付けたタイミングで前記コンテンツ情報を取得する、前記（６）に記載の端末装置。
（８）
前記コンテンツ情報取得部は、前記識別信号発信装置の位置に応じて、コンテンツ情報の取得パラメータを最適化する、前記（６）または（７）に記載の端末装置。
（９）
前記生成部は、前記受付部が受け付けた前記識別信号に基づいて前記ユーザを特定する第２の識別情報を生成する、前記（６）〜（８）のいずれか一項に記載の端末装置。
（１０）
前記識別信号発信装置は、光学式情報コードまたは電波式情報コードである、前記（６）〜（９）のいずれか一項に記載の端末装置。
（１１）
前記同定部は、前記コンテンツ情報取得部により取得されるコンテンツ情報に含まれる人物および当該コンテンツ情報取得部を備える前記端末装置を使用する人物を同定し、同定した人物を示す第１の識別情報を生成する、前記（１）〜（１０）のいずれか一項に記載の端末装置。
（１２）
前記端末装置は、ユーザに装着されて使用され得るウェアラブル装置、ユーザに把持されて使用され得る把持型携帯装置、移動体に装着される装着型装置、移動体に内蔵される内蔵型装置、または定点設置される設置装置である、前記（１）〜（１１）のいずれか一項に記載の端末装置。
（１３）
前記コンテンツ情報は、映像、画像、音声またはこれらの組み合わせである、前記（１）〜（１２）のいずれか一項に記載の端末装置。
（１４）
前記コンテンツ情報は、画像であり、
前記通信部は、前記外部装置により第１の識別情報に対応付けられた複数のコンテンツ情報を集約したひとつの映像を受信する、前記（１）〜（１３）のいずれか一項に記載の端末装置。
（１５）
コンテンツ情報取得装置からはコンテンツ情報を受信し、外部端末からはアクセス要求を受信する通信部と、
前記コンテンツ情報に含まれる人物を同定し、当該人物を示す第１の識別情報を生成する同定部と、
前記コンテンツ情報および前記第１の識別情報を対応付けて蓄積部に蓄積する蓄積制御部と、
前記通信部により、前記外部端末から前記蓄積部に蓄積されている前記コンテンツ情報にアクセスするユーザを特定する第２の識別情報を含む前記アクセス要求を受信すると、当該アクセス要求に含まれる前記第２の識別情報と前記蓄積部に蓄積されている前記コンテンツ情報に対応付けられた第１の識別情報との比較に基づいて生成された少なくとも一部がアクセス制限されたコンテンツ情報を、前記外部端末に送信するよう前記通信部を制御する通信制御部と、
を備える、サーバ。
（１６）
前記アクセス要求は、アクセス制限の度合を示すアクセスレベル情報を含み、
前記通信制御部は、前記アクセスレベル情報に応じて少なくとも一部がアクセス制限されたコンテンツ情報を前記外部端末に送信するよう前記通信部を制御する、前記（１５）に記載のサーバ。
（１７）
前記アクセス要求は、少なくとも第１のアクセスレベル情報または第２のアクセスレベル情報を含み、
前記通信制御部は、前記アクセス要求に前記第１のアクセスレベル情報が含まれている場合には、前記コンテンツ情報に対応付けられた第１の識別情報に少なくとも前記ユーザを特定する第２の識別情報が含まれるコンテンツ情報のみを、前記アクセス要求に第２のアクセスレベル情報が含まれている場合には、前記コンテンツ情報に対応付けられた第１の識別情報に前記第２の識別情報または前記ユーザに紐付けられている人物を特定する第３の識別情報が含まれるコンテンツ情報のみを、前記外部端末に送信するよう前記通信部を制御する、前記（１６）に記載のサーバ。
（１８）
前記通信部は、前記コンテンツ情報取得装置からコンテンツ情報の取得対象範囲の時系列変化を示すコンテンツ情報取得履歴を受信し、前記外部端末から前記外部端末を所持する人物の行動履歴を受信し、
前記同定部は、前記コンテンツ情報取得履歴および前記行動履歴に基づいて、前記コンテンツ情報に含まれる人物を同定する、前記（１５）〜（１７）のいずれか一項に記載のサーバ。
（１９）
コンピュータに、
コンテンツ情報に含まれる人物を同定し、同定した人物を示す第１の識別情報を生成するステップと、
前記コンテンツ情報および前記第１の識別情報を対応付けて外部装置に送信するステップと、
前記外部装置に蓄積されているコンテンツ情報に対して、当該コンテンツ情報にアクセスするユーザを特定する第２の識別情報を含むアクセス要求を生成するステップと、
前記アクセス要求を前記外部装置に送信するステップと、
前記外部装置により前記アクセス要求に含まれる前記第２の識別情報と前記外部装置に蓄積されている前記コンテンツ情報に対応付けられた第１の識別情報との比較に基づいて少なくとも一部がアクセス制限されたコンテンツ情報を、前記外部装置から受信するステップと、
を実行させるためのプログラム。
（２０）
コンピュータに、
コンテンツ情報取得装置からコンテンツ情報を受信するステップと、
前記コンテンツ情報に含まれる人物を同定し、当該人物を示す第１の識別情報を生成するステップと、
前記コンテンツ情報および前記第１の識別情報を対応付けて蓄積するステップと、
外部端末から、蓄積されている前記コンテンツ情報にアクセスするユーザを特定する第２の識別情報を含むアクセス要求を受信するステップと、
前記アクセス要求に含まれる前記第２の識別情報と蓄積されている前記コンテンツ情報に対応付けられた第１の識別情報との比較に基づいて生成された少なくとも一部がアクセス制限されたコンテンツ情報を、前記外部端末に送信するステップと、
を実行させるためのプログラム。
【符号の説明】
【０１４０】
１      識別信号発信装置
２、２−１〜２−４  自動撮影装置
３      ユーザ
４      サーバ
５      ネットワーク
６      通信装置
７      情報処理装置
８      位置・時間情報通知装置
９      位置・時間情報記録装置
２０    撮影部
２１    マイク
２２    データ蓄積部
２３    識別信号受信部
２４    制御部
２５    通信部
２６    バス
４２    データ蓄積部
４４    制御部
４５    通信部
４６    バス
７１、７２  表示例
５０１〜５０３、５１１〜５１５  映像ブロック
５２１  アクセス制限記号
【図１】
2014045259.tif 000003
【図２】
2014045259.tif 000004
【図３】
2014045259.tif 000005
【図４】
2014045259.tif 000006
【図５】
2014045259.tif 000007
【図６】
2014045259.tif 000008
【図７】
2014045259.tif 000009
【図８】
2014045259.tif 000010
【図９】
2014045259.tif 000011
【図１０】
2014045259.tif 000012
【図１１】
2014045259.tif 000013
【図１２】
2014045259.tif 000014
【図１３】
2014045259.tif 000015
【図１４】
2014045259.tif 000016
【図１５】
2014045259.tif 000017